(57)【特許請求の範囲】
【請求項１】
筐体の内面側から外部に開口する貫通孔である穴と、前記穴から別方向にケーブルを導き前記筐体の内部に通じるように前記筐体内面に形成された溝部である通路と、前記筐体内面側で前記穴の全部と前記通路の一部を塞ぐカバー部材とを備え、前記穴および前記通路が前記カバー部材で塞がれていない状態では、前記穴を通じて前記ケーブルが前記筐体の内外に抜き差し自由となるように構成されている、ことを特徴とする遊技機。
【請求項２】
前記穴と前記通路とがなす前記筐体の壁の厚さ方向に平行な断面の形状は、クランク状であることを特徴とする請求項1に記載の遊技機。
【請求項３】
前記カバー部材は、前記筐体内面に沿って前記筐体内部の壁面の一点を支点にして回転自在に取り付けられていることを特徴とする請求項１または２に記載された遊技機。
【請求項４】
前記カバー部材は、前記筐体内面に取り付けられた案内部材に沿って、抜き差し自由に設けられていることを特徴とする請求項１または２に記載された遊技機。
【発明の詳細な説明】
【０００１】
【発明の属する技術分野】
本発明は、パチンコ機やスロットマシンなどの遊技機に関する。
【０００２】
【従来の技術】
パチンコ機やスロットマシンなどの遊技機においては、
外部の商用電源等を遊技機内へ取り込み内部のモーターや電飾装置等に必要な電源態様に変換し供給するため、また通信用機器との情報の授受を行なうため、筐体の外部から内部へとケーブル類が導かれている。これらのケーブルの内、電源ケーブル等は遊技機のメーカー側において製造時に筐体背面にブッシュにてシールされた上で取り付けられることが多い。一方、通信ケーブル類については、遊技機が店内に設置されてから、店側のケーブルを遊技機の内部に引き込む作業が行われることが多い。このケーブルを内部に引き込む作業を円滑に行なわしめるため、遊技機の筐体背面に外部から内部へと通じる孔が設けられている。
【０００３】
【発明が解決しようとする課題】
しかし、遊技機のセキュリティーを高く保つという観点からはこのような孔はなるべく小さくし、できれば設けないようにすることが好ましい。
【０００４】
そこで、本発明は、ケーブル類を筐体の外部から内部へと導くための孔を、セキュリティー上問題なき様に構成した遊技機を提供することを課題とする。
【０００５】
【課題を解決するための手段】
以下、本発明について説明する。なお、本発明の理解を容易にするために添付図面の参照符号を括弧書きにて付記するが、それにより本発明が図示の形態に限定されるものではない。
【０００６】
本発明の遊技機（５０）は、筐体の内面側から外部に開口する貫通孔である穴（１１）と、穴から別方向にケーブル（１６）を導き筐体の内部に通じるように筐体内面に形成された溝部である通路（１２）と、筐体内面側で穴の全部と通路の一部を塞ぐカバー部材（１３）とを備え、穴および通路がカバー部材で塞がれていない状態では、穴を通じてケーブルが筐体の内外に抜き差し自由となるように構成されていることを特徴とする。
【０００８】
このように構成された本発明の遊技機によれば、筐体背後の外部から筐体の内部を見通そうとしても、貫通孔の開口を覆うカバー部材によって視野が塞がれているので、内部を見通すことができない。また棒状のものを差し入れることも物理的に困難である。したがって、遊技機のＲＯＭや鍵など重要な部位のセキュリティーを向上させることができる。
【０００９】
上記遊技機において、穴と通路とがなす前記筐体の壁（Ｗ）の厚さ方向に平行な断面の形状を、クランク状としてもよい。
【００１０】
このようにすれば、筐体外部からの視野を確実に狭いものとすることができ、セキュリティーを高めることができる。また、壁面に形成された孔の断面先端が鋭角になるのを避けることができるので、孔を設けた壁面の強度を高く保つことができる。
【００１４】
また、カバー部材は筐体内面に沿って筐体内部の壁面の一点を支点にして回転自在に取り付けられていることとしてもよい。
【００１５】
このようにした場合には、店内に設置した後に遊技機内にケーブル類を導き入れる際に、カバー部材を回転させれば開口が解放されるので、容易に作業を行うことができる。作業後においては、カバー部材の他の一点と壁面とを固定することによりカバー部材が壁面と一体となり、さらに遊技機のセキュリティーを向上させることができる。
【００１６】
さらにカバー部材は、筐体内面に取り付けられた案内部材（６０）に沿って抜き差し自由に設けられていることとしてもよい。
【００１７】
このようにした場合にも、店内に設置した後に遊技機内にケーブル類を導き入れる際に、カバー部材を案内部材から引き抜けば開口が解放されるので、容易に作業を行うことができる。さらに案内部材にロック機構を設けてもよい。このようにすれば、作業後において、カバー部材を案内部材にロックすることにより、カバー部材が壁面と一体となり、さらに遊技機のセキュリティーを向上させることができる。
【００１８】
本発明のこのような作用及び利得は、次に説明する実施の形態から明らかにされる。
【００１９】
【発明の実施の形態】
以下本発明を図面に示す実施形態に基づき説明する。図１１は、本発明が適用された遊技機の全体を示す斜視図である。図１１において、スロットマシン５０は、筐体本体５１と、正面パネル５２とを備えている。筐体本体５１の内部には、パチスロゲーム機としての機能を奏するための３つの回胴、それらを駆動するステッピングモータ、メダルの貯留および払い出し機構、それらを駆動するＤＣモータ、照明装置、音響装置、およびこれら各構成の全体を制御する制御装置などが収容されている。正面パネル５２は、筐体本体５１に不図示の蝶番機構を介して回動可能に取り付けられている。ただし遊技店にてプレイヤーの遊技に供せられている状態では、不図示の施錠装置によりロックされ回動不能の状態とされている。
【００２０】
外部の商用電源等を遊技機内へ取り込み、内部のモーターや電飾装置等に必要な電源態様に変換し供給するため筐体本体５１には外部からケーブルが導き入れられている。また、筐体内部に設けられた制御装置と外部のコントローラやプログレッシングユニットとの通信のため、通信ケーブルも筐体内に導き入れられている。これらのケーブル類は筐体本体背面に設けられた孔から筐体内に引き入れられている。以下の説明は、筐体本体背面の壁面に設けられるケーブル引き入れ用の孔にかかわるセキュリティーに関する。
【００２１】
なお、以下における図面において、遊技機筐体の壁が示されている場合、図面右側を筐体外部側、図面左側を筐体の内部側として説明する。
【００２２】
図１〜３は、本発明の第一実施形態にかかる遊技機筐体の構成を示している。図１および図２において、筐体の壁Ｗ（通常は筐体背面）には、ケーブル１６の外径より十分に大きな径を備えた筐体の内外を貫通する穴１１が設けられている。筐体内面側には穴１１に通じる溝部１２が形成されている。通路１２はケーブル通路としての役割を有するが、これについては後述する。さらに筐体内部側には、穴１１の開口より十分に大きな面を有するカバー部材１３が取り付けられている。カバー部材１３には二箇所に取り付け孔１４、１５が設けられている。この内のいずれかの孔にねじくぎが差し入れられて、カバー部材１３は壁Ｗの内面１０に回転自在に取り付けられている。
【００２３】
図２は、カバー部材１３が穴１１の開口１１ａを閉鎖する構造を示す図である。図２において、カバー部材１３は取り付け孔１４に差し入れられたねじくぎ１７にて壁Ｗの内面１０に回転自在に取り付けられている。カバー部材１３が図２に表されている姿勢から紙面手前側に略６０°回転すると、開口１１ａの全面と溝部１２の上部の大半がカバー部材１３に覆われて、わずかに溝部１２の下部１２ａのみ筐体内部側に露出される。
【００２４】
図３は、図２において、カバー部材が穴１１を閉鎖する姿勢におけるＩＩＩ−ＩＩＩ線断面図である。ここではケーブル１６は、遊技機筐体の外部から、穴１１および溝部１２を介して筐体の内部へと導かれている。図３から明らかなように、筐体背後の外部から筐体の内部を見通そうとしても、両開口を結ぶ方向の視野は完全に塞がれているので、内部を見通すことができない。また棒状のものを差し入れることも物理的に不可能である。したがって、遊技機のＲＯＭや鍵など重要な部位のセキュリティーを向上させることができる。
【００２５】
以上のように構成された第一実施形態の遊技機において、壁Ｗに回転自在に取り付けられたカバー部材１３を回転させて、図２に示されるような姿勢にすれば、穴１１は解放されケーブル１６を筐体外部から内部へと容易に導き入れることができる。また、内部へ導き入れたケーブル１６を溝部１２に沿って筐体内部側に導き、しかる後にカバー部材１３を図３に示される姿勢まで回転させれば、筐体の内外にケーブル１６を通じた状態で、穴１１の開口１１ａ、および溝部１２の筐体内面側開口１２ａの上部を閉鎖することができる。
【００２６】
ケーブル１６を筐体内に導き入れた後は、カバー部材１３に設けられた他の孔１５にもねじくぎを差し入れて、壁Ｗにカバー部材１３を固定してさらにセキュリティーを高めることができる。
【００２７】
なお、図４に示すように、カバー部材１３をねじくぎにて筐体に取り付ける代りに、筐体内面に案内部材６０を取り付けてカバー部材１３をこれに抜き差し自由に構成してもよい。
【００２８】
図５は、本発明の第二実施形態の構成を示している。本実施形態においては、筐体側の壁Ｗには、貫通孔３５が設けられており、筐体内部側の貫通孔３５の開口３６の部分にはカバー部材４０が、開口３６を塞ぐように取り付けられている。
【００２９】
図６はカバー部材４０の筐体取り付け部側を示す斜視図である。カバー部材４０は、円板部４１と角柱部４２とが連続する形状に形成されている。円板部４１と角柱部４２とは、それぞれの周囲部４１ａ、４２ａおよび底面４１ｂ、４２ｂに所定の厚さを残して内面がえぐられており、隙間部４１ｇ、４２ｇが形成されている。角柱部４２の隙間部４２ｇには、図面手前側に開口４３ｃが設けられている。円板部４１に設けられる隙間部４１ｇは、壁Ｗに設けられた貫通孔３５の開口３６の大きさより十分に大きく形成されている。角柱部４２に形成される隙間部４２ｇは、ケーブル類の抜き差しが自由となるように十分な大きさの通路として形成されている。
【００３０】
この第二実施形態においても、筐体背後の外部から筐体の内部を見通そうとしても、両開口を結ぶ方向の視野は完全に塞がれているので、内部を見通すことができない。また棒状のものを差し入れることも物理的に不可能である。したがって、遊技機のＲＯＭや鍵など重要な部位のセキュリティーを向上させることができる。
【００３１】
図７および図８は、本発明の他の実施形態を示している。また図９は壁面Ｗに孔１が直線状に形成されている従来の遊技機筐体を示している。
【００３２】
図７において、（ａ）は直線状の孔が、（ｂ）は曲げられた孔が、（ｃ）はクランク状の孔がそれぞれ壁面に設けられているのを示す垂直断面図である。以下において、孔の形状によって区別する場合には各符号にａ、ｂ、ｃのいずれかを付して、そうでない場合はこれらを付さずに説明する。図７において、遊技機の筐体壁面Ｗには、内部側開口２と外部側開口３とを通じる孔１が設けられている。内部側開口２と外部側開口３との壁面Ｗ上の位置は、上下、左右または斜め方向のいずれかに、ずらされて配置されている。
【００３３】
図７（ａ）に表されている筐体の壁面Ｗａに設けられた孔１ａは直線状に形成されている。一方図９に示される従来の遊技機筐体の壁面Ｗの孔１も直線状に形成されているが、孔１は内部側開口２と外部側開口３とが正対するように略水平に設けられている。両者を比較すると、図７（ａ）において、外部側開口３ａの正面方向視野は孔１ａの内面により遮られている。換言すれば内部側開口２ａと外部側開口３ａとがずれて配置されている。したがって筐体外部から内部への視野角θａは、図９の視野角θよりかなり小さなものとなる。このため、筐体外部から内部を視認できる範囲を大幅に狭めることができ、あわせて孔１ａの向きをセキュリティー上問題の少ない方向に向けることが自由であるので、遊技機自体のセキュリティーを高めることができる。例えば孔１ａが筐体下部に設けられている場合に、孔１ａを下向きに設ければ外部からは筐体底面の一部しか見ることができず、より高いセキュリティーのレベルを確保することができる。
【００３４】
さらに図７（ｂ）のように孔１ｂを曲げて形成すれば、視野角θｂをさらに小さなものとすることができる。また、図７（ｃ）に示すように、孔１ｃの断面形状をクランク状に形成すれば、さらに視野角θｃを小さなものとすることが可能である。またこの場合には孔１ｃを開口２ｃ、３ｃの部分において壁面Ｗに対してほぼ直角に形成することができるので、開口２ｃ、３ｃ周辺の壁面Ｗの強度を高く保つことができる。
【００３５】
図８は、クランク状の孔により、壁面の外部から内部への視界が完全に遮られている様子を示す図である。この場合においては、開口２ｄと開口３ｄとが大きくずらされて配置されており、孔１ｄ内部の片部５および６が視界を遮るので、遊技機筐体外部から内部への視野角はマイナス（実質ゼロ）である。したがってさらに高いセキュリティーを実現することができる。このようなクランク状の孔を筐体の壁Ｗに形成する方法について図１０を参照しつつ説明する。図１０において上段は、筐体内部から見た正面図、下段は壁の断面図である。
【００３６】
まず筐体の内外に通じる孔６１を形成し、次いでこの孔６１と重なるように筐体内部側から、外部まで貫通することのない穴６２を形成する。しかる後に筐体内部側から、穴６２の深さより短く形成された栓６１ａおよび６２ａを孔６１および穴６２にそれぞれ嵌合させればよい。栓６１ａは孔６１の内径と同一長さの外径に形成され、孔６２との交差部にて下部を水平に切断されている。また、栓６２ａは穴６２の内径と同一長さの外径に形成され、穴６１との交差部にて上部を水平に切断されるとともに、円の中心部より下方を通る水平線により下部を切断されている。
【００３７】
このような通信用ケーブル類や電源コード等を複数筐体内に導き入れる必要があるときは、これらをまとめて一つの孔から筐体内部に導き入れてもよく、また、複数箇所に孔を設けて、それぞれに上記構成の溝部とカバー部材とを配置してもよい。
【００３８】
壁Ｗやカバー部材１３、４０の材料としては、通常の木材やパーティクルボード等の合成木材を用いることができるが、合成樹脂や、圧延鋼鈑等を使用してもよい。
【００３９】
孔１、１１や、溝部１２の大きさおよび形状等は、導かれるケーブルの外径により適宜定められるものであるが、外部から自由にケーブルを引き寄せることができる範囲内で、なるべく小さなものに形成することがセキュリティー上の観点から望ましい。
【００４０】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴う遊技機もまた本発明の技術的範囲に包含されるものとして理解されなければならない。
【００４１】
以上に説明したように、本発明の遊技機は、筐体の内面側から外部に開口する貫通孔である穴と、穴から別方向にケーブルを導き筐体の内部に通じるように筐体内面に形成された溝部である通路と、筐体内面側で穴の全部と通路の一部を塞ぐカバー部材とを備え、穴および通路がカバー部材で塞がれていない状態では、穴を通じてケーブルが筐体の内外に抜き差し自由となるように構成されている。この遊技機においては筐体背後の外部から筐体の内部を見通そうとしても、貫通孔の開口を覆うカバー部材によって視野が塞がれているので、内部を見通すことができない。また棒状のものを差し入れることも物理的に困難である。したがって、遊技機のＲＯＭや鍵など重要な部位のセキュリティーを向上させることができる。
【００４２】
また、上記遊技機において、穴と通路とがなす筐体の壁の厚さ方向に平行な断面の形状を、クランク状にすれば、筐体外部からの視野を確実に狭いものとすることができ、セキュリティーを高めることができる。また、壁面に形成された孔の断面先端が鋭角になるのを避けることができるので、孔を設けた壁面の強度を高く保つことができる。
【００４５】
また、カバー部材は筐体内面に沿って筐体内部の壁面の一点を支点にして回転自在に取り付けられていることとした場合には、店内に設置した後に遊技機内にケーブル類を導き入れる際に、カバー部材を回転させれば開口が解放されるので、容易に作業を行うことができる。作業後においては、カバー部材の他の一点と壁面とを固定することによりカバー部材が壁面と一体となり、さらに遊技機のセキュリティーを向上させることができる。
【００４６】
さらにカバー部材は、筐体内面に取り付けられた案内部材に沿って抜き差し自由に設けられていることにした場合にも、店内に設置した後に遊技機内にケーブル類を導き入れる際に、カバー部材を案内部材から引き抜けば開口が解放されるので、容易に作業を行うことができる。さらに案内部材にロック機構を設けてもよい。このようにすれば、作業後において、カバー部材を案内部材にロックすることにより、カバー部材が壁面と一体となり、さらに遊技機のセキュリティーを向上させることができる。
【図面の簡単な説明】
【図１】穴と通路が設けられた筐体と、カバー部材と、ケーブルとを俯瞰する図。
【図２】筐体に回転自在に取り付けられたカバー部材を示す図。
【図３】図２のＩＩＩ−ＩＩＩ線断面図上に、ケーブルの配置を示したもの。
【図４】案内部材を示す図。
【図５】カバー部材の取り付けを示す図。
【図６】カバー部材を示す図。
【図７】本発明の変形例を示す図。
【図８】本発明の他の変形例を示す図。
【図９】従来の遊技機筐体の壁断面を示す図。
【図１０】クランク状の孔を筐体の壁に形成する方法を示す図。
【図１１】遊技機の全体を示す図。
【符号の説明】
Ｗ  壁
１１  穴
１２  溝部（通路）
１３  カバー部材
１６  ケーブル
４０  カバー部材
４２ｇ  通路
５０  スロットマシン（遊技機）
６０  案内部材
【図１】
0003631167.tif 000002
【図２】
0003631167.tif 000003
【図３】
0003631167.tif 000004
【図４】
0003631167.tif 000005
【図５】
0003631167.tif 000006
【図６】
0003631167.tif 000007
【図７】
0003631167.tif 000008
【図８】
0003631167.tif 000009
【図９】
0003631167.tif 000010
【図１０】
0003631167.tif 000011
【図１１】
0003631167.tif 000012